(57)【要約】【課題】搬送路内に設置された読取ユニットのクリーニングやメンテナンスを容易にするための着脱構造を有する技術を提供する。【解決手段】搬送路に沿って搬送される原稿を読み取る読取ユニットと、前記搬送路を開放するように開閉可能な開閉ユニットと、前記搬送路に沿って配置される読取ユニットを固定するための固定手段と、固定された前記読取ユニットを前記搬送路側に向かって付勢する読取ユニット離脱用付勢手段とを備え、前記固定手段は前記搬送路側から解除可能であって、前記固定手段による前記読取ユニットの固定を解除すると、前記読取ユニットは前記読取ユニット離脱用付勢手段によって前記収容部から前記搬送路側に押し出されることを特徴とする画像読取装置。【選択図】図１３−ａ
2017098715.tif 000002
【特許請求の範囲】
【請求項１】
搬送路に沿って搬送される原稿を読み取る読取ユニットと、
前記搬送路を開放するように開閉可能な開閉ユニットと、
前記搬送路に沿って配置される読取ユニットを固定するための固定手段と、
固定された前記読取ユニットを前記搬送路側に向かって付勢する読取ユニット離脱用付勢手段と
を備え、
前記固定手段は前記搬送路側から解除可能であって、前記固定手段による前記読取ユニットの固定を解除すると、前記読取ユニットは前記読取ユニット離脱用付勢手段によって前記収容部から前記搬送路側に押し出されることを特徴とする画像読取装置。
【請求項２】
前記読取ユニット離脱用付勢手段は、前記収容部内で前記読取ユニットと当接することを特徴とする請求項１に記載の画像読取装置。
【請求項３】
前記搬送路に対して前記読取ユニットとは反対側に配置される他の読取ユニットと、
前記他の読取ユニットを前記搬送路側に付勢する摺動用付勢手段と
を備えることを特徴とする請求項１または２に記載の画像読取装置。
【請求項４】
前記読取ユニットと前記他の読取ユニットは、前記搬送路を挟んで対向して配置されることを特徴とする請求項３に記載の画像読取装置。
【請求項５】
前記固定手段は、前記読取ユニットの前記搬送路と対向する部分に作用する突き当て部であることを特徴とする請求項１から４に記載の画像読取装置。
【請求項６】
前記読取ユニット離脱用付勢手段の付勢力は、前記摺動用付勢手段の付勢力よりも大きいことを特徴とする請求項３または４に記載の画像読取装置。
【請求項７】
前記読取ユニットは、前記読取ユニット離脱用付勢手段と当接する位置に導電部を有し、
前記読取ユニット離脱用付勢手段は導電性部材であることを特徴とする請求項１から６のいずれか一つに記載の画像読取装置。
【発明の詳細な説明】
【技術分野】
【０００１】
本発明は、画像読取装置の読取ユニットの取り付けに関する。
【背景技術】
【０００２】
シートスルー型の読取装置では、使用中に読取ユニット内に入ったゴミの清掃や読取センサの故障、読取ガラスにキズが入った場合など、メンテナンスの目的で読取ユニットを着脱するニーズがある。通常、対向して配置された読取ユニットはフレームに固定された読取ユニットに対して対向した浮動する読取ユニットが弾性的に押圧され、厚い原稿などを読み取る場合などに対処している。
【先行技術文献】
【特許文献】
【０００３】
【特許文献１】特開２００９−２７８３８３号公報
【発明の概要】
【発明が解決しようとする課題】
【０００４】
しかしながら、読取ユニットを着脱する際はフレームに固定された読取ユニットは固定を解除し、フレームに設けられた収容部から読取ユニットを引っ張り出さなければならず、フレームから外しにくいという問題があった。
【０００５】
本発明の目的は、搬送路内に設置された読取ユニットのクリーニングやメンテナンスを容易にするための着脱構造を有する画像読取装置を提供することである。
【課題を解決するための手段】
【０００６】
上記の課題を解決するため、本発明に係る画像読取装置は、
搬送路に沿って搬送される原稿を読み取る読取ユニットと、
前記搬送路を開放するように開閉可能な開閉ユニットと、
前記搬送路に沿って配置される読取ユニットを固定するための固定手段と、
固定された前記読取ユニットを前記搬送路側に向かって付勢する読取ユニット離脱用付勢手段と
を備え、
前記固定手段は前記搬送路側から解除可能であって、前記固定手段による前記読取ユニットの固定を解除すると、前記読取ユニットは前記読取ユニット離脱用付勢手段によって前記収容部から前記搬送路側に押し出されることを特徴とする。
。
【発明の効果】
【０００７】
本発明によれば、読取ユニットのメンテナンスを容易に行える画像読取装置を提供することができる。
【図面の簡単な説明】
【０００８】
【図１】本発明の一実施形態に係る画像読取装置の概略図。
【図２】図１の画像読取装置の制御ユニットのブロック図。
【図３】本発明の一実施形態に係る画像読取装置の正面図。
【図４】本発明の一実施形態に係る画像読取装置の他の正面図。
【図５】本発明の一実施形態に係る画像読取装置の上面図。
【図６】本発明の一実施形態に係る画像読取装置の他の上面図。
【図７】本発明の一実施形態に係る画像読取装置の概略断面図。
【図８】本発明の一実施形態に係る画像読取装置の他の概略断面図。
【図９】本発明の一実施形態に係る画像読取装置の側面図。
【図１０】本発明の一実施形態に係る画像読取装置の側面図。
【図１１】本発明の一実施形態に係る画像読取装置の斜視図。
【図１２−ａ】本発明の一実施形態に係る画像読取装置の要部拡大図。
【図１２−ｂ】本発明の一実施形態に係る画像読取装置の要部拡大図。
【図１３−ａ】本発明の一実施形態に係る画像読取装置の部分略断面図。
【図１３−ｂ】本発明の一実施形態に係る画像読取装置の部分略断面図。
【発明を実施するための形態】
【０００９】
図１は本発明の一実施形態に係る画像読取装置Ａの概略図である。
＜装置の構成＞
画像読取装置Ａは、給紙トレイ１に積載された一又は複数の搬送媒体Ｓを１つずつ装置内に経路ＲＴにて搬送してその画像を読み取り、排紙トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。搬送媒体Ｓには、また、パスポートなどの冊子も含まれる。冊子を対象とする場合、後述するホルダを用いることができる。ホルダに見開き状態の冊子を収容して給紙トレイ１に載置することで、冊子がホルダと共に搬送され、その画像を読み取ることができる。
＜給紙＞
経路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２を備え、給紙トレイ１上の搬送媒体Ｓを搬送方向Ｄ１に一つずつ順次搬送する。送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
＜駆動部＞
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
＜分離構造＞
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１０】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１１】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００１２】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排紙トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００１３】
排紙トレイ２は、画像読取装置Ａに対して回動可能なように、画像読取装置Ａの下方に設けられた第１ヒンジ１０１を介して軸支されている。また、第１ヒンジ１０１側の第１排紙トレイ２ａとその先端側に接続された第２排紙トレイ２ｂとから構成されており、第２排紙トレイ２ｂは第１排紙トレイ２ａに対して回動可能に軸支されている。
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００１４】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
＜重送検出＞
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
＜レジストセンサ＞
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００１５】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００１６】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
＜CISの配置＞
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取上ユニット７０１は上部ユニット１０３、画像読取下ユニット７０２は下部ユニット１０４に設けられた収容部１０３１、１０４１に収容され、搬送媒体Ｓの表裏面を読み取る。
【００１７】
画像読取上ユニット７０１は、収容部１０３１との間に弾性部材７０１１を備え、経路ＲＴに出没可能に摺動するように配置され、上部ユニット１０３に対して搬送経路ＲＴに規定量以上に飛び出さないように係合手段によって係止されている。
【００１８】
図１３は本発明に係る画像読取装置の部分断面図である。画像読取下ユニット７０２は、読取側係合手段７０２１を備え、図１３−ａと図１３−ｂに示すように下部ユニット１０４に設けられた収容部１４０１に挿入される際に、下部ユニット１０４側から突出した下部弾性部材７５を付勢しながら挿入され、収納状態において、図１３−ｂのように下部ユニット係合部１０４２と読取側係合手段７０２１によって嵌合固定される。また、画像読取下ユニット７０２の収納状態において画像読取下ユニット７０２が押圧されると、下部フレーム収納部１４０１に設けられた突き当て部１４０３によって移動を規制される。従って上部ユニット１０３を展開した状態で、画像読取ユニット７０２を押し込んでも画像読取上ユニット７０１と違い、経路RTから退避せずに突き当て部１４０３に当たり、移動は規制されている。
【００１９】
上部ユニット１０３が収納状態にある時において、画像読取上ユニット７０１は画像読取下ユニット７０２に対して所定の力で押圧され、前述した突き当て部１４０３に画像読取下ユニット７０２が突き当たって静止する。今、画像読取上ユニット７０１と画像読取下ユニット７０２間で形成される経路ＲＴ’よりも厚い搬送媒体Ｓ’が画像読取ユニット７０間に侵入すると、画像読取上ユニット７０１は搬送媒体Ｓ’によって押し上げられ、上部ユニット１０３側に退避する。搬送媒体Ｓ’が読取ユニット７０間を通過し終わると弾性部材７０１１によって画像読取上ユニット７０１は再び画像読取下ユニット７０２に押圧される。
【００２０】
ここで、本発明に関する実施例を詳しく開示する。メンテナンスを行うときは、図８のように上部ユニット１０３の展開状態にて行う。この時、画像読取上ユニット７０１と画像読取下ユニット７０２は経路ＲＴ側が開放される。
【００２１】
図１２は本発明の一実施形態に係る画像読取装置Ａの画像読取下ユニット７０２の斜視図である。図１２−ａは画像読取下ユニット７０２を外した状態で、図１２−ｂは画像読取下ユニット７０２を収納した状態である。
【００２２】
尚、簡略化するため図１２は上部ユニット１０３を省略している。また画像読取下ユニット７０２は、収納状態において対向する画像読取上ユニット７０１から押圧されても経路ＲＴから退避しないように突き当て１０４３または弾性部材７５の付勢力が調整されることで規制されている。
【００２３】
図１３−ｂにおいて、図８のように上部ユニット１０３を展開した状態で、経路ＲＴ側に設けられた穴部から工具を入れて読取側係合手段７０２１を撓ませると、画像読取下ユニット７０２は、図１３−ｂで示すように下部弾性部材７５によって上方に付勢されているため、画像読取下ユニット７０２が下部弾性部材７５によって経路ＲＴに持ち上げられ、画像読取下ユニット７０２が経路ＲＴに飛び出す。この構造により、画像読取下ユニット７０２が画像読取装置Ａから容易に離脱できるようになり、メンテナンス性を向上できる。
【００２４】
尚、本実施形態では、画像読取上ユニット７０１と画像読取下ユニット７０２を、経路ＲＴの両側に対向配置した構造した例を示しているが、この限りではなく、画像読取下ユニット７０２を経路ＲＴの片側にのみ一つ配置して、搬送媒体Ｓの片面のみを読み取る構成としてもよい。また、画像読取上ユニット７０１と画像読取下ユニット７０２を対向に配置せず、経路ＲＴの搬送方向に間隔をあけて配置してもよい。
【００２５】
また、本実施例では下部ユニット係合部１０４２、読取側係合手段７０２１による嵌合固定にて画像読取下ユニット７０２を固定する例をあげたが、この限りでなく、例えば、ねじなどの締結部材で用いて下部ユニット１０４に画像読取下ユニット７０２を固定した場合や、磁力等を用いて画像読取下ユニット７０２を下部ユニット１０４に固定した場合でも同様の効果を得ることができる。
【００２６】
また、本実施例では画像読取下ユニット７０２が下部フレーム突き当て部１４０３に突き当たって画像読取下ユニット７０２が経路ＲＴからの退避を規制しているが、例えば画像読取上ユニット７０１を押圧する弾性部材７０１１の力よりも下部弾性部材７５の力を大きくすることで、原稿進入時に画像読取下ユニット７０２が退避しないようにしてもよい。
【００２７】
更に図１３のように画像読取ユニット７０２の下面をステンレス等の金属で製作した導電性部材７６で覆うと、ＣＩＳ７１などの電装部品のノイズのシールド材として機能するのと同時に、導電性部材７６は画像読取下ユニット７０２の下部フレーム側に露出したアース面となる。
【００２８】
図１３−ｂのように画像読取下ユニット７０２の収納位置において下部弾性部材７５は電気的接続に必要な所定の圧力を画像読取下ユニット７０２に掛けている。図１３−ａのように下部弾性部材７５を下部搬送板金１４１に電気的に接触させると、下部弾性部材７５は、下部ユニット１０４に電気的に接続する。今、図１３のように画像読取下ユニット７０２を下部ユニット１０４に組み付けると、導電性部材７６が下部弾性部材７５で付勢されながら画像読取下ユニット７０２を挿入するので、画像読取下ユニット７０２は収容完了位置において、下部ユニット１０４に対し電気的に接続され、搬送媒体Ｓが帯電した状態で経路ＲＴを通過しても画像読取下ユニット７０２は電気的影響を受けずに動作可能となる。
＜ブロック図の説明＞
図２を参照して制御部８０について説明する。図２は画像読取装置Ａの制御部８のブロック図である。
【００２９】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００３０】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００３１】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
＜PCからの開始指示受信による駆動＞
画像読取装置Ａの基本的な動作について説明する。制御部８０は、例えば画像読取装置Ａが接続された外部パソコンから画像読み取りの開始指示を受信すると、第1搬送部１０〜第3搬送部30の駆動を開始する。給紙トレイ１に積載された搬送媒体Ｓはその最も下に位置する搬送媒体Ｓから１つずつ搬送される。
＜重送時の制御＞
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
＜レジストセンサの出力に応じた読取開始＞
制御部８０は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部パソコンへ送信する。画像が読み取られた搬送媒体Ｓは第３搬送部３０により排紙トレイ２に排出されてその搬送媒体Ｓの画像読取処理が終了する。
＜排紙構造＞
図３は本発明の一実施形態に係る画像読取装置Ａの排紙トレイ２を展開した状態の正面図である。
【００３２】
正面上部の表示パネル９０には表示画面９３が設けられ、隣接した位置に操作キー１２２が設けられている。
【００３３】
正面下部の下部パネル９１には排出開口９２が設けられており、第３搬送部３０によって搬送された搬送媒体Ｓが排出される。
【００３４】
図４は本発明の一実施形態に係る画像読取装置Ａの排紙トレイ２を収納した状態の正面図である。
【００３５】
排紙トレイ２は、画像読取装置Ａに対して回動可能なように、画像読取装置Ａの下方に設けられた第１ヒンジ１０１を介して軸支されており、第１排紙トレイ２ａ及び第２排紙トレイ２ｂによって本体前面を覆うように構成されている。
【００３６】
第１排紙トレイ２ａは、第１ヒンジ１０１を支点として回動可能に画像読取装置Ａの本体１００に取り付けられている。第１排紙トレイ２ａは、下部パネル９１及び排出開口９２を合わせた面積と同サイズで形成され、図４に示すような排紙トレイ２の収納状態において、第１ヒンジ１０１を支点として回動し、下部パネル９１及び排出開口９２を覆うように折り畳まれる。
【００３７】
第２排紙トレイ２ｂは、表示パネル９０と同サイズで形成され、図４に示すような排紙トレイ２の収納状態において、第１排紙トレイ２ａの先端に設けられた第２ヒンジ１０２を支点として回動し、表示パネル９０と重なるように折り畳まれる。
【００３８】
図５は本発明の一実施形態に係る画像読取装置Ａの排紙トレイ２を展開した状態における上面図である。
【００３９】
第３搬送部３０により搬送されてきた搬送媒体Ｓは、排出開口９２を経て第１排紙トレイ２ａに排出され、搬送媒体Ｓのサイズによっては第２排紙トレイ２ｂまで到達し、案内される。
【００４０】
第１排紙トレイ２ａには、排出位置調整部材１２０が回動可能に設けられており、名刺などのような第１排紙トレイ２ａに対して小さいサイズの搬送媒体Ｓが排出されるときなどに、起立状態に回動させることで搬送媒体Ｓが停止する位置を調整し、排出された搬送媒体Ｓを散らばりにくくすることができる。
【００４１】
また、第２排紙トレイ２ｂには、透光部１２１が設けられており、表示パネルに設けられた操作キー１２２と重なる位置に配置されている。操作キー１２２は本体電源をオン、オフする電源ボタンとなっており、電源オン状態においてはボタンが点灯するように構成されている。操作キー１２２と重なる位置に配置された透光部１２１は、排紙トレイ２の収納状態においても操作キー１２２が点灯状態であるか、消灯状態であるかを確認することができ、画像読取装置Ａの電源状態を確認することができる。
＜表示パネルの構成＞
第２排紙トレイ２ｂの収納状態において、第２排紙トレイ２ｂと重なる位置に設けられた表示パネル９０には、表示画面９３が配置されている。
【００４２】
表示画面９３は、給送トレイ１１０および搬送路幅Ｗと中心線Ｘが同位置となるように配置されている。尚、本発明の一実施形態に係る画像読取装置Ａの最大搬送路幅ＷｍａｘとしてＡ４レターサイズを給送可能に構成されており、その幅はＷｍａｘ＝２１６ｍｍである。表示画面９３の幅は２２４ｍｍであり、Ｗｍａｘを超える長さとなっている。
【００４３】
これにより、例えば、読み取った画像を実寸大で表示画面９３に表示することができるようになり、仕上がり状態の確認が容易に行えるため、ユーザの利便性を向上することができる。
＜給送構造詳細＞
図６は本発明の一実施形態に係る画像読取装置Ａの排紙トレイ２を収納した状態における上面図である。
【００４４】
給送トレイ１１０には、配置される搬送媒体Ｓの大きさに合わせて搬送方向に対して直交する方向にスライド可能に取り付けられた規制部材１１１が設けられている。
＜上部ユニット詳細＞
図７は本発明の一実施形態に係る画像読取装置Ａの概略断面図である。
【００４５】
本体１００は、上部ユニット１０３と下部ユニット１０４とから構成され、上部ユニット１０３は下部ユニット１０４に対し、本体ヒンジ１０５を支点として回動可能に取り付けられている。
【００４６】
上部ユニット１０３は、表示パネル９０に最大搬送路幅Ｗｍａｘを超える幅の表示画面９３及び表示画面９３の支持フレーム板金を備えているため、図８に示すように上部ユニット１０３を展開した状態における重心は、図１に示すような上部ユニット１０３を収納した状態よりも搬送方向前方側に大きくずれることになる。
【００４７】
したがって、上部ユニットを展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図７のような上部ユニット１０３及び排紙トレイ２の収納状態においては、排紙トレイ２の下方に収まるような突出量であって、図８のような上部ユニット１０３の展開状態においては、上部ユニット１０３の重心よりも搬送方向前方まで位置するような突出量となっている。これにより、上部ユニット１０３の展開による画像読取装置Ａの転倒を防止しつつ、排紙トレイ２を収納した収納状態においては必要以上に突出させず、ユーザの邪魔にならないようにすることができる。
＜排紙トレイ角度調節＞
また、突出部１３０の上面には、排紙トレイ２を展開したときにその下面に当接するようにしたトレイ支持部１３１が回動可能に設けられている。
【００４８】
図９に示すように、排紙トレイ２は、その展開状態においては、突出部１３０によって支持され、排出される搬送媒体Ｓを受けることができるようにされている。図１０に示すように、トレイ支持部１３１を突出部１３０上面から上方に突出するように回動させると、排紙トレイ２の下面側に当接して排紙トレイ２を支持することとなり、突出部１３０によって支持する図９の状態から、排紙トレイ２の角度を調節できる。
【００４９】
例えば、図１０の状態では、図９の状態と比べて、排紙トレイ２が鉛直方向上方に持ち上げられることとなり、排紙トレイ２の上面において搬送媒体Ｓの先端が着地する位置を変更することができる。これにより、図９の状態では、排出される搬送媒体Ｓの先端が、既に排出済みの搬送媒体Ｓの後端に当接して押し出してしまうような場合において、図１０のように排紙トレイ２の角度を変更することで、既に排出済みの搬送媒体Ｓの後端を下部ユニット１０４側に寄せる作用に加えて、既に排出済みの搬送媒体Ｓの上面に、後続の搬送媒体Ｓの先端を確実に着地させることができる。このような構成により、排紙トレイ２上での排出済みの搬送媒体Ｓの整列性を格段に向上することができる。
【００５０】
なお、トレイ支持部１３１は回動範囲の途中においても排紙トレイ２を支持可能なように構成し、排紙トレイ２の角度を複数段階で調節可能にしてもよい。その場合、搬送媒体Ｓごとに最も排紙トレイ２上での整列性が高い角度で搬送媒体Ｓを受けることができ、使用性を向上できる。
＜上部ユニットのアース＞
図１１は本発明の一実施形態に係る画像読取装置Ａの上部ユニット１０３を展開した状態の斜視図である。
【００５１】
上部ユニット１０３を収納する際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３の分離ローラ１２の両脇に、金属製の上部弾性部材１４０が設けられている。
【００５２】
上部ユニット１０３が収納状態となる際に、上部弾性部材１４０が下部ユニット１０４側に設けられた下部搬送板金１４１の接点部１４１１に弾性付勢されながら収納状態となる。上部弾性部材１４０の上部ユニット１０３に取り付けられる側の端部は、上部ユニット１３０内に設けられた電装部品のグランド側と導通しており、上部弾性部材１４０が接点部１４１１に接触することによって下部ユニット内に配置された電装部品のグランド側に導通される。
【００５３】
したがって、上部ユニット１０３の収納状態において、弾性を有する緩衝部材によって上部ユニット１０３側のアースを取ることができる。
【符号の説明】
【００５４】
Ａ  画像読取装置
Ｓ  搬送媒体
Ｓ’  厚い搬送媒体
ＲＴ  経路
ＲＴ’  画像読取上下ユニット間の経路
１  給紙トレイ
２  排紙トレイ
２ａ  第１排紙トレイ
２ｂ  第２排紙トレイ
３、４  駆動部
５  伝達部
１０  第１搬送部
１１  送りローラ
１２  分離ローラ
２０  第２搬送部
２１  駆動ローラ
２２  従動ローラ
３０  第３搬送部
３１  駆動ローラ
３２  従動ローラ
４０  重送検出センサ
５０、６０  媒体検出センサ
７０  画像読取ユニット
７０１  読取上ユニット
７０１１  弾性部材
７０２  読取下ユニット
７０２１  読取側係合手段
７１  コンタクトイメージセンサ（ＣＩＳ）
７５  下部弾性部材
７６  導電性部材
７７  読取ユニット係合手段
８０  制御部
８４  通信部
９０  表示パネル
９１  下部パネル
９３  表示画面
１００  本体
１０１  第１ヒンジ
１０２  第２ヒンジ
１０３  上部ユニット
１０３１  上部ユニット収容部
１０４  下部ユニット
１０４１  下部ユニット収容部
１０４２  下部ユニット係合部
１０４３  突き当て部
１０５  本体ヒンジ
１１１  規制部材
１２０  排出位置調整部材
１２１  透光部
１２２  操作キー
１３０  突出部
１３１  トレイ支持部
１４０  上部弾性部材
１４１  下部搬送板金
１４１１  接点部
【図１】
2017098715.tif 000003
【図２】
2017098715.tif 000004
【図３】
2017098715.tif 000005
【図４】
2017098715.tif 000006
【図５】
2017098715.tif 000007
【図６】
2017098715.tif 000008
【図７】
2017098715.tif 000009
【図８】
2017098715.tif 000010
【図９】
2017098715.tif 000011
【図１０】
2017098715.tif 000012
【図１１】
2017098715.tif 000013
【図１２−ａ】
2017098715.tif 000014
【図１２−ｂ】
2017098715.tif 000015
【図１３−ａ】
2017098715.tif 000016
【図１３−ｂ】
2017098715.tif 000017